(57)【要約】      （修正有）【課題】設置する向き及び高さを変更しても、手摺を確実に支持することができる手摺支柱を提供する。【解決手段】手摺支柱１は、構造物に対して着脱可能に固定される固定支柱３と、固定支柱３に対して互いの軸方向に摺動自在に連結されて、手摺を支持する支持支柱２と、固定支柱３に対して支持支柱２の軸回りの回転位置を調節する位置決め機構１２と、を備える。【選択図】図１
0003158613.tif 000002
【実用新案登録請求の範囲】
【請求項１】
構造物に取り付けられ、水平方向に延在する手摺を支持する手摺支柱であって、
前記構造物に対して着脱可能に固定される固定支柱と、
前記固定支柱に対して互いの軸方向に摺動自在に連結されて、前記手摺を支持する支持支柱と、
前記固定支柱に対して前記支持支柱の軸回りの回転位置を調節する位置決め手段と、を備えることを特徴とする手摺支柱。
【請求項２】
前記位置決め手段は、
前記支持支柱の摺動部分に設けられた複数の第一孔部と、
前記固定支柱の摺動部分に設けられた複数の第二孔部と、
前記第一孔部及び前記第二孔部に挿通する留め具と、からなることを特徴とする請求項１に記載の手摺支柱。
【請求項３】
前記第一孔部及び前記第二孔部の少なくとも一方が、前記摺動部分の周方向に間隔をあけて設けられていることを特徴とする請求項２に記載の手摺支柱。
【請求項４】
前記支持支柱は、前記手摺の一部が載置される手摺受部材を有することを特徴とする請求項１から３の何れか一項に記載の手摺支柱。
【請求項５】
前記支持支柱は、
前記手摺の一部を覆う略筒状に形成された手摺固定部材を有し、
前記手摺固定部材が前記手摺を前記手摺受部材に近づく方向に引きつけるように取り付けられていることを特徴とする請求項４に記載の手摺支柱。
【請求項６】
前記手摺固定部材は、被覆材で覆われていることを特徴とする請求項５に記載の手摺支柱。
【請求項７】
前記支持支柱は、前記手摺の延在方向と平行な向きに配置されるさんを抱持するさん固定部材を有することを特徴とする請求項１から６の何れか一項に記載の手摺支柱。
【請求項８】
前記さん固定部材は、単クランプであることを特徴とする請求項７に記載の手摺支柱。
【請求項９】
前記固定支柱は、前記構造物を挟持して該固定支柱を該構造物に固定するコ型クランプを有することを特徴とする請求項１から８の何れか一項に記載の手摺支柱。
【請求項１０】
前記固定支柱は、前記コ型クランプの開口方向と同じ向きに開口する補助コ型クランプを更に有することを特徴とする請求項９に記載の手摺支柱。
【請求項１１】
前記固定支柱及び前記支持支柱は、断面形状が正方形の四角柱状に形成されていることを特徴とする請求項１から１０の何れか一項に記載の手摺支柱。
【考案の詳細な説明】
【技術分野】
【０００１】
本考案は、手摺を支持する手摺支柱に関する。
【背景技術】
【０００２】
構造物に手摺を設ける際には、構造物上に複数の手摺支柱を間隔を空けて垂直に取り付け、その複数の手摺支柱に手摺を支持させることが一般的である。かかる手摺支柱にはクランプ等の支持具が設けられ、手摺を取り付けることができるように構成されている。
【考案の概要】
【考案が解決しようとする課題】
【０００３】
しかし従来の手摺支柱にあっては、支持具の向きが固定されているものが多く、複数の手摺支柱を手摺の延在する方向に揃えて配置する必要がある。よって、手摺支柱を手摺の延在方向と異なる向きに設置した場合、手摺を支持具に取り付けることができなくなってしまう。また、従来の手摺支柱にあっては支持具の高さも固定されており、手摺支柱の高さを調節することができない。
【０００４】
本考案は、上記問題に鑑みてなされたものであり、手摺支柱を設置する向き及び高さを変更しても、手摺を確実に支持することができるようにすることを目的とする。
【課題を解決するための手段】
【０００５】
本考案の一態様によれば、
構造物に取り付けられ、水平方向に延在する手摺を支持する手摺支柱であって、
前記構造物に対して着脱可能に固定される固定支柱と、
前記固定支柱に対して互いの軸方向に摺動自在に連結されて、前記手摺を支持する支持支柱と、
前記固定支柱に対して前記支持支柱の軸回りの回転位置を調節する位置決め手段と、を備えることを特徴とする手摺支柱が提供される。
【考案の効果】
【０００６】
本考案によれば、手摺支柱を他の手摺支柱と異なる向き及び高さに設置することができ、手摺を確実に支持することができる。これにより、本考案に係る手摺支柱のみで対応することができ、向きや高さの異なる手摺支柱を別途製造する必要がないので、製造コストを低減させることができる。
【図面の簡単な説明】
【０００７】
【図１】本考案の実施形態にかかる手摺支柱の全体構成を模式的に示した分解斜視図である。
【図２】本考案の実施形態にかかる手摺支柱の上端部分を示した側面図である。
【図３】図２に示されたIII-III線に沿った面の矢視断面図である。
【図４】本考案の実施形態にかかる手摺支柱の基本状態を示す側面図である。
【図５】本考案の実施形態にかかる手摺支柱を変形した状態を示す側面図である。
【図６】本考案の実施形態にかかる手摺支柱を変形した状態を示す側面図である。
【図７】本考案の実施形態にかかる手摺支柱を変形した状態を示す側面図である。
【図８】本考案の実施形態にかかる手摺支柱を取り付けた状態を示す斜視図である。
【考案を実施するための形態】
【０００８】
以下に、本考案を実施するための形態について説明する。但し、以下に述べる実施形態には、本考案を実施するために技術的に好ましい種々の限定が付されているが、本考案の範囲を以下の実施形態に限定するものではない。
【０００９】
図１〜図３を参照して本実施形態における手摺支柱１について説明する。図１は手摺支柱１の分解斜視図、図２は手摺支柱１の上端部を示した図、図３は図２の切断線III-III線に沿った面の矢視断面図である。
【００１０】
手摺支柱１は、支持支柱２と固定支柱３とを着脱自在に連結して構成されている。
支持支柱２は、支持支柱２の本体をなす本体部４と、手摺が載置される受金物（手摺受部材）５と、受金物５に載置された手摺を固定する固定バンド（手摺固定部材）６と、さんを固定するクランプ７（さん固定部材）を備える。
【００１１】
本体部４は、断面形状が正方形の四角柱状に形成され、側面４１〜４４を有する。側面４１，４２，４３，４４は、支持支柱２の上方から見て反時計回りに配置されている。側面４１〜４４の内側は中空に形成され、本体部４の下部には固定支柱３の一部が収納する収納部（摺動部分）４５が形成されている。収納部４５において、側面４１に円形の第一孔部４６が形成され、側面４２に円形の第一孔部４７が形成されている。第一孔部４６，４７は支持支柱２の軸方向にずれて配置されている。そして側面４１に対向する側面４３には第一孔部４６に対応する位置に第一孔部４８が形成され、側面４２に対向する側面４４には第一孔部４７に対応する位置に第一孔部４９が形成されている。
【００１２】
次に、本体部４の上端部の構造について図２及び図３を参照して説明する。本体部４の上端部は手摺を支持して固定できるように構成されている。
【００１３】
本体部４の上端には、円弧板状の受金物５が設けられている。受金物５は凹面５１を上方へ向け、凸面５２を下方に向けて配置されている。受金物５の凹面５１及び凸面５２は本体部４の径よりも大きく形成され、凸面５２は側面４１上端面及び側面４３上端面に当接している。その当接部分が溶接されることにより受金物５が本体部４に固定されている。手摺はこの受金物５の凹面５１に載置され、これにより本体部４は手摺を支持することができる。手摺が円柱形状の場合、受金物５は円弧板状に形成されているので手摺が脱落しにくい。
また受金物５は側端面が円弧状に形成されており、円弧状の側端面のうち一方が側面４１と同一方向を向き、他方が側面４３と同一方向を向いて配置されている。これにより、受金物５に支持される手摺は、その軸方向が側面４１，４３に直交する向きに配置されることになる。
なお、受金物５の本体部４への固定方法は溶接に限らずその他の固定方法であってもよい。
【００１４】
本体部４の側面４１の上部には、矩形状のバンド受けプレート５５が設けられている。バンド受けプレート５５は固定バンド６を取り付けるための部材である。バンド受けプレート５５は、その面方向が側面４１に直交するとともに側面４２，４４と平行になるように配置されている。バンド受けプレート５５の中央には、厚さ方向に貫通する固定孔５６が形成されている。この固定孔５６は、上下方向に二つ並んで形成されている。また、二つの固定孔５６は上下方向に延びる略楕円形状に形成されている。
【００１５】
固定バンド６は、取付部６１と、手摺固定部６２とを有する。手摺固定部６２は帯状の薄板部材からなり、その両端を近づけるように屈曲させて略円筒形状をなしている。そして、その互いに近づけた両端には矩形薄板状の取付部６１がそれぞれ設けられ、手摺固定部６２の中心軸から離れる方向に向かって延出している。二つの取付部６１のそれぞれには、その厚さ方向に貫通する円形の固定孔６３が二つ形成されている。また、この固定バンド６は弾性部材、プラスチックその他の被覆材により覆われている。これにより固定バンド６の表面は滑らかに形成され、手摺を掴んだときに固定バンド６の手触りが良好である。
【００１６】
固定バンド６は、バンド受けプレート５５に着脱自在に固定されている。固定バンド６の２つの取付部６１がバンド受けプレート５５の両面を挟み込んだ状態で取り付けられ、手摺固定部６２がバンド受けプレート５５の上方に配置されている。つまり手摺固定部６２の中心軸方向が側面４１，４３の面方向に直交する向きに配置されている。したがって受金物５の凹面５１に載置された手摺は固定バンド６の内側の空間を通って延在し、手摺固定部６２の内周面に当接することで固定される。
【００１７】
そして、固定バンド６は、ボルト６４及びナット６５によりバンド受けプレート５５に固定される。すなわち、ボルト６４がバンド受けプレート５５の固定孔５６と取付部６１，６１の固定孔６３，６３に挿通し、ナット６５で締め付けられることにより固定されている。
【００１８】
ここで、バンド受けプレート５５の固定孔５６が上下方向に延びる略楕円形状に形成されているのに対し、固定バンド６の固定孔６３が円形に形成されている。これにより固定バンド６の固定位置はボルト６４及びナット６５とともに上下方向にずらすことができる。したがって、固定バンド６を下側にずらした状態で固定バンド６を固定すれば、手摺が凹面５１と固定バンド６の内周面との間に挟まれて強く固定される。これにより手摺の脱落を防止することができるとともに、手摺を更に安定に支持することができる。
【００１９】
図１に示すように、本体部４の側面４２にはクランプ７が設けられている。クランプ７は前部７１と後部７２とを有し、前部７１の一端と後部７２の一端がヒンジ７３により連結して構成されている。後部７２はヒンジ７３側を下方に向けて側面４２に固定され、前部７１はヒンジ７３を支点として上下方向に回動自在になっている。これにより、前部７１と後部７２との間にさん等が挟持される。
【００２０】
固定支柱３は、固定支柱３の本体をなす柱状の本体部８、頬杖部９、コの字型に開口したコ型クランプ１０及びコ型クランプ（補助コ型クランプ）１１、を備えている。
【００２１】
本体部８は、断面形状が正方形の四角柱状部材であり、側面８１〜８４を有する。側面８１，８２，８３，８４は、固定支柱３の上方から見て反時計回りに配置されている。側面８１〜８４の内側は中空に形成されている。本体部８の上部には、支持支柱２の収納部４５に収納される挿入部（摺動部分）８５が形成されている。挿入部８５の下端には段差が設けられ、この段差に収納部４５の下端が当接することにより挿入部８５がそれ以上収納部４５内に挿入されないように構成されている。挿入部８５の側面８１には、その軸方向に並んで４つの第二孔部８６が形成されている。また、挿入部８５の側面８２〜８４にも第二孔部８６に対応する位置に４つの第二孔部８７〜８９が連続して形成されている。なお、本実施形態においては第二孔部８６〜８９は４つずつ形成されているが、この数に限るものではない。
【００２２】
コ型クランプ１０は本体部８の下端に設けられ、その開口した方向が側面８３が向いた方向と同一になるように配置されている。コ型クランプ１０は、クランプ本体１０１と、留金具１０２を備える。留金具１０２は回転させることにより、クランプ本体１０１の開口部１０３の間隔を狭められるように構成されている。これにより開口部１０３内に配置された構造物を留金具１０２とクランプ本体１０１とが挟持し、コ型クランプ１０を構造物に対して固定することができる。コ型クランプ１０が固定されることにより固定支柱３が構造物に対して固定される。
【００２３】
本体部８の側面８２には頬杖部９が設けられている。頬杖部９は板状部材であり、その面方向が側面８２に直交し、側面８１，８３と略平行に配置されている。頬杖部９はその先端が本体部８の下端近傍まで延出している。そして頬杖部９の下端にはコ型クランプ１１が設けられている。コ型クランプ１１はコ型クランプ１０と同様の構成であり、コがたクランプ１１は、開口部１１３を有するクランプ本体１１１と、留金具１１２とを備えている。そしてコ型クランプ１１の開口した方向もコ型クランプ１０と同一である。
クランプ本体１１１と留金具１１２が構造物を挟持することにより、コ型クランプ１１を構造物に対して固定することができる。コ型クランプ１１が頬杖部９を介して本体部８に取り付けられているので、コ型クランプ１１が固定されることにより固定支柱３が構造物に対してより強く固定されて固定支柱３の安定性が高まる。
【００２４】
支持支柱２と固定支柱３とは、挿入部８５が収納部４５に納まった状態で着脱自在に連結し、位置決め機構（位置決め手段）１２により位置決めがなされている。位置決め機構１２は、第一孔部４６〜４９、第二孔部８６〜８９及び二つの留め具１３，１３から構成され、留め具１３はボルト１３１及びナット１３２からなる。支持支柱２と固定支柱３とは、ボルト１３１が第一孔部４６〜４９及び第二孔部８６〜８９に挿通し、ナット１３２に締め付けられることにより位置決めがなされている。また、挿入部８５を収納部４５に完全に収納すれば手摺支柱１は短くなり、挿入部８５を収納部４５から露出させれば手摺支柱１は長くなる。
【００２５】
なお、支持支柱２の本体部４及び固定支柱３の本体部８は四角柱形状に限らず、多角柱形状や円柱形状であってもよい。
【００２６】
次に図４〜図８を参照して本実施形態の作用について説明する。
図４は手摺支柱１の基本状態を示した側面図である。支持支柱２及び固定支柱３は、固定支柱３の挿入部８５が支持支柱２の収納部４５内に収納された状態で連結し、位置決め機構１２により位置決めがなされている。支持支柱２及び固定支柱３は、側面４１と側面８１が同一平面となる向きで連結されている。挿入部８５は露出しておらず収納部４５内に完全に収納されており、手摺支柱１の最も短い状態となっている。
【００２７】
図５は、図４に示した手摺支柱１の基本状態から、支持支柱２を軸回りに回転させて向きを変更させた手摺支柱１の側面図である。その手順は、まず二つの留め具１３を外して収納部４５から挿入部８５を抜き取り、支持支柱２と固定支柱３との連結を解除する。続いて固定支柱３の向きをそのままにして、支持支柱２を上端から見て、支持支柱２を反時計回りに９０度回転させる。その向きを維持したまま挿入部８５の下端が収納部４５の下端に当接するまで挿入部８５を収納部４５に挿入し、留め具１３を第一孔部４６〜４９及び第二孔部８６〜８９に通して取り付ける。このような操作により手摺支柱１は図５に示した状態となる。
したがって支持支柱２及び固定支柱３は、側面４１と側面８２が同一平面となる向きで連結されている。また挿入部８５は露出しておらず収納部４５内に完全に収納されており、図５に示す状態は手摺支柱１の最も短い状態となっている。
【００２８】
図６は、図４に示した手摺支柱１の基本状態から、手摺支柱１の軸方向の長さを変更させた手摺支柱１の側面図である。その手順は、まず二つの留め具１３を外して収納部４５から挿入部８５の一部を抜き出し、４つの第二孔部８６〜８９のうち下側の２つを露出させる。そしてこの状態を維持したまま、再び留め具１３を第一孔部４６〜４９及び第二孔部８６〜８９に通して取り付ける。このような操作により手摺支柱１は図６に示した状態となる。
したがって、支持支柱２及び固定支柱３は、側面４１と側面８１が同一平面となる向きで連結されている。また、挿入部８５の一部が露出するとともに４つの第二孔部８６〜８９のうち下側の２つが露出している。すなわち２つの留め具１３は、４つの第二孔部８６〜８９のうち上側の２つを通って取り付けられている。つまり、手摺支柱１は図４，５に示した状態よりも軸方向に長い状態となっている。
【００２９】
図７は、図４に示した手摺支柱１の基本状態から、支持支柱２を軸回りに回転させて向きを変更させるとともに、手摺支柱１の軸方向の長さを変更させた手摺支柱１の側面図である。その手順は、まず二つの留め具１３を外して収納部４５から挿入部８５を抜き取り、支持支柱２と固定支柱３との連結を解除する。続いて固定支柱３の向きをそのままにして、支持支柱２を上端から見て、支持支柱２を反時計回りに９０度回転させる。その向きを維持したまま挿入部８５を収納部４５に挿入し、４つの第二孔部８６〜８９のうち下側の２つが露出した状態で、留め具１３を第一孔部４６〜４９及び第二孔部８６〜８９に通して取り付ける。このような操作により手摺支柱１は図７に示した状態となる。
したがって支持支柱２及び固定支柱３は、側面４１と側面８２が同一平面となる向きで連結されている。また、挿入部８５の一部が露出するとともに、下側２つの第二孔部８６〜８９が露出している。つまり、手摺支柱１は図４，５に示した状態よりも軸方向に長い状態となっている。
【００３０】
図８は、手摺支柱１が構造物に取り付けられ、手摺等を支持している状態を示す斜視図である。
手摺支柱１はそれぞれ、コ型クランプ１０，１１が構造物１５を挟持することにより着脱可能に固定されている。具体的には、コ型クランプ１０の開口部１０３内の構造物１５をクランプ本体１０１と留金具１０２とで挟み込むことにより、手摺支柱１を構造物１５に固定している。同様に、コ型クランプ１１も構造物１５をクランプ本体１１１と留金具１１２とで挟み込むことにより、手摺支柱１をより強く固定している。
【００３１】
手摺１６は、手摺支柱１の受金物５の凹面５１上に載置されている。受金物５は円弧板状に形成されているため、円柱形状の手摺１６が脱落しないように支持することができる。また、固定バンド６は下方にずらして固定されているので、手摺１６は固定バンド６の内周面と受金物５の凹面５１との間に挟まれて固定されている。また、さん１７は手摺１６に平行に設けられ、クランプ７に抱持されることにより固定されている。
【００３２】
手摺支柱１は、支持支柱２の向きを変更した状態で固定支柱３に連結することが可能であり、図８に示すように、２本の手摺支柱１を互いに異なる向きにして固定することができる。すなわち、２本の手摺支柱１のうち一方はコ型クランプ１０，１１の開口方向が手摺１６の延在方向と平行となっているのに対し、他方はコ型クランプ１０，１１の開口方向が手摺１６の延在方向と直交した向きに取り付けられている。
【００３３】
以上のように本考案に係る手摺支柱１は、固定支柱３に対して支持支柱２の軸回りの回転位置を調節可能であり、かつ支持支柱２及び固定支柱３は互いの軸方向に摺動自在に連結されている。したがって、手摺支柱１が手摺の延在方向と異なる向きに設置されたとしても手摺を確実に支持することができる。同様に、手摺支柱１が手摺の設けられた高さと異なる高さであったとしても手摺を支持することができる。つまり、本考案に係る手摺支柱１は、取り付けの向きや高さによらず手摺を確実に支持することができる。更に、本考案に係る手摺支柱のみで対応することができ、向きや高さの異なる手摺支柱を別途製造する必要がなく、製造コストを低減させることができる。
【符号の説明】
【００３４】
１  手摺支柱
２  支持支柱
３  固定支柱
５  受金物（手摺受部材）
６  固定バンド（手摺固定部材）
７  クランプ（さん固定部材）
１０  コ型クランプ
１１  コ型クランプ（補助コ型クランプ）
１２  位置決め機構
１３  留め具
１５  構造物
１６  手摺
１７  さん
４５  収納部（摺動部分）
４６  第一孔部
４７  第一孔部
４８  第一孔部
４９  第一孔部
８５  挿入部（摺動部分）
８６  第二孔部
８７  第二孔部
８８  第二孔部
８９  第二孔部
【図１】
0003158613.tif 000003
【図２】
0003158613.tif 000004
【図３】
0003158613.tif 000005
【図４】
0003158613.tif 000006
【図５】
0003158613.tif 000007
【図６】
0003158613.tif 000008
【図７】
0003158613.tif 000009
【図８】
0003158613.tif 000010